(57)【特許請求の範囲】
【請求項１】
ダニ抗原の通過を制限する素材で袋状に形成されると共に、少なくとも一側辺に封止手段を有する開口部が設けられており、内部に充填物を収容可能とされたカバー部材であって、
前記封止手段は、スライダーによりエレメントを噛み合わせたり離したりして開閉する構造のスライドファスナーと、雌雄嵌合するシール条によって開閉する構造のシールチャックとを有する二重以上のファスナーで構成されていることを特徴とするカバー部材。
【請求項２】
前記封止手段は、開口部に対して、外側に前記スライドファスナーが設けられ、内側に前記シールチャックが設けられている請求項１記載のカバー部材。
【請求項３】
前記シールチャックは、前記カバー部材の開口部の長さよりも長く形成されており、前記シールチャックの両端部は、前記カバー部材の開口部の両端部から前記カバー部材の内部に延出されて前記素材で覆われた構造をなしている請求項１又は２記載のカバー部材。
【請求項４】
前記スライドファスナーの前記エレメントの少なくとも片面には、ダニの通過を制限可能な合成樹脂からなるコーティングが施されている請求項１〜３のいずれか１つに記載のカバー部材。
【請求項５】
まくら、マットレス、布団、座布団、クッションから選ばれた1種のカバー部材として用いられる請求項１〜４のいずれか１つに記載のカバー部材。
【発明の詳細な説明】
【技術分野】
【０００１】
本発明は、例えば、まくら、マットレス、ふとん、座布団、クッション等に用いられるカバー部材に関し、特に、生きているダニや、その死骸、糞等に起因するいわゆるダニアレルギーを抑制できるカバー部材に関する。
【背景技術】
【０００２】
喘息や、鼻炎、皮膚炎等のアレルギー性疾患は、いわゆるダニアレルギーが原因の一つであることが知られている。このダニアレルギーは、例えば、生きているダニや、その死骸、脱皮殻、卵等のダニ抗原をアレルゲンとして、体内に吸い込んだり、接触したりすることによって引き起こされる。また、ダニは、人のフケや垢等の有機物を餌に繁殖するため、前記ダニ抗原は、マットレス、布団、まくら等に多く存在している。
【０００３】
これらのマットレスやまくら等のダニ対策として、例えば、下記特許文献１には、ダニ類を通さないシート状の布が用いられ、これを袋状に縫着し、かつ一側部に縫着に取付けられてダニ類を通さないスライドファスナーを有し、前記スライドファスナーを開閉して、ふとんを袋内に出し入れ可能とされており、更に、前記縫着された縫着部は、対峙する布の縁部分を重ねて二重折すると共に、返し縫いすることによりダニ類を通さないようにしたふとん用防ダニカバーが開示されている。
【０００４】
また、下記特許文献２には、織布又は不織布のウェブと、ダニの排泄物等の通過を妨げる構成のファスナーとを含むアレルゲン阻害ケースであって、前記ウェブは、ポリウレタン−アクリレコートコポリマーフォームで被覆され、かつカレンダーによって１μｍより小さい粒体をほぼ１００％分離する程度に密度が高められている生地からなり、前記ファスナーは少なくとも三重になった生地を含む封止用帯状片の重なりによって、ケースの内面に封じ込められているアレルゲン阻害ケースが開示されている。なお、前記ファスナーは、スライダーにより開閉可能ないわゆるスライドファスナーであり、同スライドファスナーを構成する一対のテープの内側に前記封止用帯状片がそれぞれ積層されていて、一方の積層された封止用帯状片には、更に封止用帯が揺動可能に連結されている。そして、ケース内で過剰な圧力が生じると、前記封止用帯状片がファスナーの内側に当接すると共に、前記封止用帯が上方に揺動し、ファスナーの内側に当接して、ファスナーの封止が図られるようになっている。
【特許文献１】実公平４−３７５０７号公報
【特許文献２】特許第３６９６０８８号公報
【発明の開示】
【発明が解決しようとする課題】
【０００５】
上記特許文献１では、ダニ類を通さないスライドファスナーによって、カバー開口部でのダニ類の通過が抑制されているが、スライダーによりエレメントを噛み合わせたり離したりして開閉する構造のスライドファスナーにおいては、ダニ類を通さない構造にすることが難しく、ダニ類を完全にシャットアウトすることが困難であった。また、就寝時等の使用中において、スライドファスナーが不意に開いてしまうこともあり、そのような場合にダニの通過を抑制することができなかった。
【０００６】
一方、上記特許文献２では、ダニの排泄物等の通過を妨げる構成のファスナーと、その内側に積層された封止用帯状片と、封止用帯とによって、ケース開口部におけるダニの排泄物等の通過が抑制されている。しかしながら、封止用帯状片と封止用帯とをファスナーに密接させても、多少の隙間は生じてしまうので、やはりダニ類を完全にシャットアウトすることは困難であると考えられる。
【０００７】
したがって、本発明の目的は、ファスナーによって開閉可能とされた開口部を有するカバー部材であって、開口部でのダニの通過をより確実に抑制することができるようにしたカバー部材を提供することにある。
【課題を解決するための手段】
【０００８】
上記目的を達成するため、本発明のカバー部材は、ダニ抗原の通過を制限する素材で袋状に形成されると共に、少なくとも一側辺に封止手段を有する開口部が設けられており、内部に充填物を収容可能とされたカバー部材であって、前記封止手段は、スライダーによりエレメントを噛み合わせたり離したりして開閉する構造のスライドファスナーと、雌雄嵌合するシール条によって開閉する構造のシールチャックとを有する二重以上のファスナーで構成されていることを特徴とする。
【０００９】
本発明のカバー部材によれば、シールチャックを閉じることにより、開口部を気密的にシールしてダニの通過を制限することができると共に、スライドファスナーを閉じることによって、開口部を簡単に開かないように強固に閉じることができる。このように、スライドファスナーとシールチャックとを有する二重以上のファスナーからなる封止手段によって、開口部を封止するように構成したので、開口部をしっかりと封止した状態に維持することができ、生きているダニや死骸等のダニ抗原が開口部からカバー部材内へ入り込むことや、カバー部材内で繁殖したダニやその卵等のダニ抗原が、カバー部材内から外部へ排出されることが防止されて、ダニアレルギーを効果的に抑制することができる。
【００１０】
また、本発明のカバー部材においては、前記封止手段は、開口部に対して、外側に前記スライドファスナーが設けられ、内側に前記シールチャックが設けられていることが好ましい。これによれば、シールチャックの外側に設けられたスライドファスナーによってシールチャックを保護することができるので、シールチャックのシール状態を確実に保持することができ、開口部におけるダニの通過をより制限することができる。
【００１１】
更に、本発明のカバー部材においては、前記シールチャックは、前記カバー部材の開口部の長さよりも長く形成されており、前記シールチャックの両端部は、前記カバー部材の開口部の両端部から前記カバー部材の内部に延出されて前記素材で覆われた構造をなしていることが好ましい。これによれば、カバー部材の開口部の両端部からカバー部材の内部に延出されたシールチャックの両端部によって、開口部両端のシール性が低下しやすい箇所を覆われるので、開口部をその全長に亘ってしっかりとシールすることができ、開口部でのダニの通過を一層制限することができる。
【００１２】
また、本発明のカバー部材においては、前記スライドファスナーの前記エレメントの少なくとも片面には、ダニの通過を制限可能な合成樹脂からなるコーティングが施されていることが好ましい。これによれば、スライドファスナーのエレメントの少なくとも片面には、ダニの通過を制限可能な合成樹脂からなるコーティングが施されているので、シールチャックだけでなく、スライドファスナーによってもダニの通過を制限することができ、開口部でのダニの通過をより一層制限することができる。
【００１３】
更に、本発明のカバー部材においては、まくら、マットレス、布団、座布団、クッション、から選ばれた1種のカバー部材として用いられることが好ましい。これによれば、ダニが生じやすい上記から選ばれたもののカバー部材として、好適に用いることができる。
【発明の効果】
【００１４】
本発明のカバー部材によれば、シールチャックにより開口部を気密的にシールしてダニの通過を制限すると共に、スライドファスナーにより開口部を強固に閉じて、二重以上のファスナーによって開口部を封止するように構成したので、開口部をしっかりと封止した状態に維持でき、ダニアレルギーを効果的に抑制することができる。
【発明を実施するための最良の形態】
【００１５】
以下、図１〜６を参照して、本発明のカバー部材の第１実施形態について説明する。
【００１６】
本発明のカバー部材は、ダニ抗原の通過を制限して、ダニアレルギーを効果的に抑制することを目的としている。なお、本発明におけるダニ抗原とは、生きているダニや、ダニの死骸、ダニの糞、ダニの卵等のダニアレルギーのアレルゲンを意味している。
【００１７】
本発明のカバー部材は、例えば、まくら、マットレス、布団、座布団、クッション等のカバーとして用いることができる。以下に説明する第１実施形態は、まくら用のカバー部材に適用されるものである。
【００１８】
図１及び図２に示すように、このカバー部材１０は、ダニの通過を制限する素材で形成された一対の細長い布生地１１，１１を重ね合わせ、各布生地１１の一対の長辺１２，１２どうしと、一方の短辺１３，１３どうしとを縫い合わせることにより、他方の短辺１３側に開口部１５が設けられた袋状に形成されている。このカバー部材１０の内部には、図示しないまくら本体が挿入されるようになっている。適用されるまくら本体は、特に限定されないが、例えば綿、ポリエステル綿、アクリル綿、そば殻、もみ殻、樹脂パイプ等からなる詰め物を、袋体に充填したまくらなどが用いられる。
【００１９】
また、一対の布生地１１，１１の各辺の縫着部分は、図３の断面図に示す構造となっている。図３は、図１における一対の布生地１１，１１の各長辺１２の縫着部分をIII−III矢示線に沿って見た断面であるが、他の側辺の縫着部分も同様な構造をなしている。すなわち、この縫着部分においては、各長辺１２の周縁部１２ａが内方に折り曲げられて互いに重ね合わせられていて、更に各周縁部１２ａ，１２ａの外側には、所定長さで伸びる断面略Ｕ字状の連結生地１７が被せられている。このＵ字状の連結生地１７は、前記布生地１１と同じく、ダニの通過を制限する素材からなり、その両端部は、それぞれ内方に折り返されて二重折部１７ａ，１７ａをなしている。そして、図３に示すように、連結生地１７の各二重折部１７ａ，１７ａで、各長辺１２の周縁部１２ａ，１２ａを挟み込んで、糸１８で縫い付けることにより、複数の生地が重ね合わされた状態で縫着されている。
【００２０】
このように、布生地１１，１１の各辺（一対の長辺１２及び一方の短辺１３）の周縁部１２ａ，１３ａは、連結生地１７を介して複数の生地が積層された状態で縫着されているので、縫着部分からのダニの通過を効果的に抑制できるようになっている。
【００２１】
また、布生地１１の他方の短辺１３側は、その両端部のみ縫着されていて、短辺１３の長さ方向中間部は縫着されていない状態となっており、この部分が前記開口部１５をなしている。すなわち、開口部１５は、布生地１１の短辺１３の全長に亘って設けられておらず、短辺１３の両端部を除いた中間部分に設けられている。
【００２２】
上記の袋状をなしたカバー部材１０には、更に開口部１５を開閉可能とする封止手段が設けられている。本発明のカバー部材は、この封止手段として、スライダー２５によりエレメント２３を噛み合わせたり離したりして開閉する構造のスライドファスナー２０と、雌雄嵌合するシール条３３によって開閉する構造のシールチャック３０とを有する二重以上のファスナー（この実施形態では二重ファスナー）を採用した点に特徴がある。
【００２３】
まず、図４及び図５を参照して、スライドファスナー２０について説明する。このスライドファスナー２０は、細長く帯状に伸びる一対のテープ２１，２１と、各テープ２１，２１の表面側の内側縁に沿って固設されたエレメント２３と、各テープ２１の両エレメント２３，２３を跨るようにスライド可能に装着されて、両エレメント２３，２３を歯合及び離脱させるスライダー２５（図１参照）とを有している。なお、スライドファスナー２０自体の構造は、周知の構造であるため、その詳細な説明を省略する。
【００２４】
そして、このスライドファスナー２０は、カバー部材１０の開口部１５に対して、次のように取付けられている。すなわち、図５に示すように、一対の布生地１１，１１の、他方の短辺１３は、両端部を除く中間の周縁部１３ｂ，１３ｂがそれぞれ内方へ折り曲げられていて、各周縁部１３ｂ，１３ｂの内側に、スライドファスナー２０の各テープ２１，２１が重ね合わされている。そして、各周縁部１３ｂの折り曲げ部近傍及び各テープ２１のエレメント２３が固設された方の側部を糸１８で縫い付けると共に、各周縁部１３ｂの先端部及び各テープ２１の他方の側部を、前述した二重折部１７ａ，１７ａを有する連結生地１７で挟み込んで、糸１８で縫い付けることにより、各テープ２１，２１が、各布生地１１の短辺１３側周縁にそれぞれ縫着されて、開口部１５にスライドファスナー２０が取付けられるようになっている。
【００２５】
このように、スライドファスナー２０の各テープ２１，２１は、短辺１３の各周縁部１３ｂ，１３ｂに、２箇所の縫着箇所で縫い付けられているので、スライドファスナー２０を強固に取付けることができる。また、各テープ２１，２１及び各周縁部１３ｂ，１３ｂの基端部が連結生地１７でそれぞれカバーされて、この連結生地１７を介して複数の生地が積層された状態で縫着されているので、開口部１５の内側に位置する縫着部分からのダニの通過を効果的に抑制できるようになっている。
【００２６】
上記のように開口部１５には、スライドファスナー２０が取付けられているが、この実施形態においては、その内側に更にシールチャック３０が取付けられている。図４及び図６（Ａ）を併せて参照すると、このシールチャック３０は、ポリエチレン、ポリプロピレン、塩化ビニル等の合成樹脂からなる細長い帯状の一対のテープ３１，３１と、一対のテープ３１，３１の各先端部の対向する内面から突設して、互いに雌雄嵌合するシール条３３，３３と、一対のテープ３１，３１の各先端部を跨るようにスライド可能に装着され、各シール条３３，３３を雌雄嵌合させると共にその嵌合を解除させる、断面略Ｅ字状のスライダー３５とを有している。
【００２７】
また、この実施形態の場合、図６（Ａ）に示すように、一方のテープ３１の先端内側からは、２つのシール条３３が突設していて、それらの先端が外方に屈曲した爪状をなしており、他方のテープ３１の先端内側からは、３つのシール条３３が突設していて、両側のシール条３３，３３の先端が内方に屈曲した爪状をなし、一方のテープ３１の２つのシール条３３にそれぞれ嵌合するようになっている。
【００２８】
更に、このシールチャック３０は、図５に示すように、一対の布生地１１，１１の他方の短辺１３側であって、前記スライドファスナー２０の取付け位置よりも内側部分に、両シール条３３，３３を互いに対向する位置となるように、各テープ３１，３１の基端部を配設して、糸１８により縫い付けることにより、各テープ３１，３１が各布生地１１の短辺１３側周縁に縫着されて、前記スライドファスナー２０よりも、開口部１５の内側にシールチャック３０が取付けられるようになっている。
【００２９】
また、上記シールチャック３０は、その長さが開口部１５の長さよりも長く形成されている。そして、図１，２及び図４に示すように、シールチャック３０の両端部は、カバー部材１０の開口部１５の両端部から、カバー部材１０の内部に延出されている。そして、図４の破線イで示すように、シールチャック３０の両端部を囲むように、一対の布生地１１，１１が袋状に縫着されている。その結果、シールチャック３０の両端部は、布生地１１の短辺１３の縫着された両端部により覆われた構造をなしている。
【００３０】
なお、シールチャック３０としては、図６（Ｂ）に示すように、一方のテープ３１の先端内側から突設した錨状のシール条３３を設け、他方のテープ３１の先端内側から略Ｕ字状に屈曲する２つのシール条３３，３３を設けて、その先端部を内方に屈曲させて爪状として、前記錨状のシール条３３の両側段部にそれぞれ嵌合させるようにしてもよく、特に限定されるものではない。
【００３１】
また、上述した縫着部分における糸１８の縫い目は、６つ以上／１ｃｍであることが好ましい。これによって各生地を強固に縫着できると共に、縫い目の間隔を小さくして、ダニの通過をより妨げやすくすることができる。また、上記のダニの通過を制限する素材としては、例えば、綿，カポック，亜麻等の天然セルロース繊維や、ビスコースレーヨン，銅アンモニアレーヨン等のセルロース再生繊維等のセルロース質からなる繊維に、タンニン酸等のアレルゲン不活性化剤を付着させてなるものを好ましく用いることができる。また、ダニの通過を制限する素材で形成された布生地１１及び連結生地１７の、繊維と繊維との間の隙間は５０μｍ以下であることが好ましい。こうすると、生きているダニや、死骸、糞、卵等の布生地１１又は連結生地１７からの出入りが困難となり、ダニの通過を効果的に抑制することができる。
【００３２】
次に、上記構成からなる本発明のカバー部材の使用方法について説明する。
【００３３】
すなわち、図２に示すカバー部材１０の開口部１５が閉じられた状態から、スライダー２５を矢印Ａ方向にスライドさせると、両エレメント２３，２３が離脱してスライドファスナー２０が開き、スライダー３５を矢印Ｂ方向にスライドさせると、シール条３３，３３の嵌合が解除されてシールチャック３０が開き、図１に示すように、カバー部材１０の開口部１５を開くことができ、ポリエステル綿等の充填物を収容できると共に適宜交換することができる。
【００３４】
そして、図１に示す開口部１５が開いた状態から、スライダー３５を矢印Ａ方向にスライドさせると、シール条３３，３３が互いに雌雄嵌合してシールチャック３０が閉じ、スライダー２５を矢印Ｂ方向にスライドさせると、エレメント２３，２３が互いに歯合してスライドファスナー２０が閉じ、図２に示すように、カバー部材１０の開口部１５を閉じることができる。
【００３５】
このとき、本発明のカバー部材１０においては、シールチャック３０を閉じることにより、開口部１５を気密的にシールしてダニの通過を制限することができると共に、スライドファスナー２０を閉じることによって、開口部１５を簡単に開かないように強固に閉じることができる。このように、このカバー部材１０においては、スライドファスナー２０とシールチャック３０とを有する二重以上のファスナーからなる封止手段によって、開口部１５を封止するように構成したので、開口部１５をしっかりと封止した状態に維持することができる。その結果、生きているダニや、死骸等のダニ抗原が、開口部１５からカバー部材内へ入り込むことや、カバー部材１０内で繁殖したダニやその卵等のダニ抗原が、カバー部材１０内から外部へ排出されることを防止することができ、ダニアレルギーを効果的に抑制することができる。
【００３６】
また、図４に示すように、この実施形態の開口部１５においては、スライドファスナー２０の内側にシールチャック３０が設けられているので、スライドファスナー２０によってシールチャック３０を保護することができ、その結果、シールチャック３０のシール状態をより確実に保持することができる。
【００３７】
更に同図４に示すように、この実施形態においては、シールチャック３０の両端部が、布生地１１の短辺１３の縫着された両端部により覆われた構造をなしているので、開口部１５両端のシール性が低下しやすい箇所を覆うことができ、その結果、開口部１５をその全長に亘ってしっかりとシールすることができ、開口部１５でのダニの通過を一層制限することができる。
【００３８】
図７には、本発明によるカバー部材の第２実施形態が示されている。なお、前記実施形態と実質的に同一部分には同符号を付してその説明を省略する。
【００３９】
この実施形態のカバー部材１０は、前記実施形態と比べてスライドファスナーの構造が異なっている。すなわち、この実施形態におけるスライドファスナー２０ａは、一対のテープ２１，２１の裏面側の内周縁に沿って、エレメント２３，２３がそれぞれ配設されており、更に、このエレメント２３，２３の表面側には、ダニの通過を制限可能な合成樹脂からなるコーティング２４，２４がそれぞれ施されている。そして、スライダー２５をスライドさせエレメント２３，２３を歯合させて、開口部１５を閉じた場合には、各エレメント２３，２３は、開口部１５の内側に位置していて、コーティング２４が開口部１５の外側に位置するようになっている（図７参照）。この実施形態によれば、コーティング２４によって、スライドファスナー２０ａの表面側でのシール性を向上させることができ、その結果、シールチャック３０だけでなく、スライドファスナー２０によってもダニの通過を制限することができるので、カバー部材１０の開口部１５でのダニの通過をより一層効果的に制限することができる。
【００４０】
図８及び図９には、本発明によるカバー部材の第３実施形態が示されている。なお、前記実施形態と実質的に同一部分には同符号を付してその説明を省略する。
【００４１】
この実施形態のカバー部材１０ａは、マットレスＭ用のカバー部材１０ａとされている点が、前記第１，第２実施形態と相違している。すなわち、このカバー部材１０ａは、所定間隔を設けてほぼ平行に配設された一対の細長の布生地１１，１１と、該一対の布生地１１，１１の外周を囲む側生地１９とを有している。また、前記側生地１９は、一方の布生地１１に対して、その全周縁に対して縫い付けられて縫着されており、他方の布生地１１に対しては、下側の長辺１２の周縁、及び、左右両側の一対の短辺１３，１３の長さ方向途中に至るまでの周縁が縫い付けられて縫着されていて、その他の部分が開口部１５をなしている。また、この開口部１５には、スライドファスナー２０及びシールチャック３０がそれぞれ取付けられている。
【００４２】
ふとんにおいては、ダニ対策がなされたものが既に市販されているが、マットレスにおいては、ダニ対策を施すことがふとんより難しいという問題がある。しかし、マットレスＭをカバー部材１０ａで覆うことにより、マットレスＭに対してもダニ対策を施すことが可能となる。なお、このカバー部材１０ａは、上側の長辺１２及び左右の短辺１３，１３の途中までを、図８に示すように大きく開かせることができるので、マットレスＭのような大型の寝具でも容易にカバー部材１０ａ内に収容することができる。
【００４３】
図１０及び図１１には、本発明によるカバー部材の第４実施形態が示されている。なお、前記実施形態と実質的に同一部分には同符号を付してその説明を省略する。
【００４４】
この実施形態のカバー部材１０ｂは、前記第３実施形態と同様に、マットレスＭ用のカバー部材として用いられるものである。そして、この実施形態においては、前記第１〜３の各実施形態と比較して、シールチャック自体の構造及び開口部１５への取付け構造が異なっている。
【００４５】
具体的に説明すると、このカバー部材１０ｂは、一対の細長の布生地１１，１１と、該一対の布生地１１，１１の間に配設される側生地１９とを有し、一対の布生地１１，１１の長辺１２及び短辺１３を、側生地１９にそれぞれ縫い付けることにより袋状に縫製されたもので、更に、前記側生地１９のほぼ中央に、布生地１１の外周に沿って所定範囲で開口部１５が設けられた構造をなしている。また、長辺１２の周縁部１２ａと側生地１９の周縁部１９ａ、及び、短辺１３の周縁部１３ａと側生地１９の周縁部１９ａを、それぞれ内方へ折り曲げて重ね合わせて、略Ｕ字状の連結生地１７で挟み込んで縫着することにより、布生地１１の各辺１２，１３と側生地１９とが連結されている（図１１（ａ）参照）。
【００４６】
また、前記側生地１９に設けた開口部１５に対して、スライドファスナー２０及びシールチャック３０ａは、次のようにして取り付けられている。図１１（ａ），（ｂ）を参照して説明すると、開口部１５により分割された側生地１９の各辺は、それぞれ内方へ折り曲げられていて、開口部１５内方に向かって所定長さで延出した延長片１９ｂ，１９ｂをなしている。各延長片１９ｂ，１９ｂの折り曲げ部近傍の内側には、一対のテープ２１，２１がそれぞれ縫着されていて、開口部１５にスライドファスナー２０が取り付けられている。
【００４７】
開口部１５に取り付けたスライドファスナー２０の更に内側には、シールチャック３０ａが取り付けられている。前記実施形態においては、図５に示すように、シールチャック３０を構成するテープ３１が布生地１１に直接縫着されていたが、この第４実施形態においては異なっている。
【００４８】
すなわち、シールチャック３０ａを構成する細長帯状の一対のテープ３１，３１は、その各外面（対向する内面とは反対側の面）に、細長の帯状をなす取付片３６が重ね合わされて、更に同取付片３６の周縁部３６ａ，３６ａが折り曲げられて、一対のテープ３１，３１の長さ方向の両側周縁部が覆われるようになっている。この取付片３６は、ポリエステル等の合成樹脂からなる繊維から形成されたもので、ポリエチレン等の合成樹脂からなるシールチャック３０ａの各テープ３１，３１に、所定の溶着手段（超音波ミシン等）によって予め溶着できるようになっている。
【００４９】
そして、各テープ３１，３１は、上記のように予め溶着された取付片３６を介して、側生地１９の各延長片１９ｂ，１９ｂにそれぞれ縫着されるようになっている。すなわち、延長片１９ｂ，１９ｂの各先端部、すなわち、前記スライドファスナー２０の取付け位置よりも開口部１５内側位置に、各テープ３１，３１を取付片３６を介して配設する。そして、延長片１９ｂの最先端部を折り曲げて、テープ３１及び取付片３６の一方の周縁部を挟み込んで糸１８で延長片１９ｂに縫着すると共に、同テープ３１及び取付片３６の他方の周縁部を延長片１９ｂに糸１８で縫着することにより、シールチャック３０ａが取り付けられるようになっている。
【００５０】
ところで、テープ３１を側生地１９の延長片１９ｂに直接縫着しようとすると、平滑なテープ３１が延長片１９ｂ上で滑ってしまって縫着位置がずれてしまう恐れがある。また、テープ３１を縫着した後、テープ３１に過度の力が作用した場合には、テープ３１表面が変形して、波打ったような状態となってシールチャックの動作がスムーズになされない恐れがある。
【００５１】
これに対してこの実施形態における各テープ３１，３１は、延長片１９ｂ上で滑りにくい取付片３６が予め溶着されていて、該取付片３６を介して側生地１９の延長片１９ｂに縫着されるので、取付片３６が延長片１９ｂ上で滑りにくく、所定の縫着位置に確実に取り付けることができる。また、取付片３６を介してテープ３１が延長片１９ｂに取り付けられているので、テープ３１の剛性を高めることができ、上記のような波打ち状態の変形を防止して、シールチャック３０ａの嵌着・解除動作を確実かつスムーズに行うことができる。
【００５２】
そして、この第４実施形態における、前記実施形態のシールチャックとの最も大きな相違点は次の点にある。すなわち、前記実施形態においては、シールチャック３０には、各シール条３３，３３を雌雄嵌合させるスライダー３５が装着されていたが、この第４実施形態のシールチャック３０ａにおいては、一対のテープ３１，３１の各先端部から、スライダー３７が取り外せる構造となっている。
【００５３】
図１０に示すように、このスライダー３７は、帯状の底壁３７ａと、該底壁３７ａの両側縁から所定高さで立設した側壁３７ｂ，３７ｂとからなる断面略Ｕ字状をなしている。そして、スライダー３７をシールチャック３０ａから取り外し可能としたことにより、図１０に示すように、前記一対の延長片１９ｂ，１９ｂに取り付けられた、シールチャック３０ａのテープ３１，３１の対向する両端部（始端部及び終端部）どうしを突き合わせて、糸１８によって縫着することができるようになっている。
【００５４】
上記構成からなる第４実施形態の使用方法について説明すると、シールチャック３０ａを閉じる際には、図１１（ｂ）に示すように、両延長片１９ｂ，１９ｂの先端部に設けた各テープ３１，３１を近接させつつ、対向するシール条３３，３３を整合させた状態とする。その状態で、図１０に示すように、スライダー３７の一対の側壁３７ｂ，３７ｂにより、テープ３１，３１を挟み込むようにして、シールチャック３０ａのテープ３１，３１の始端部に装着する。そして、スライダー３７をテープ３１に沿ってスライドさせることにより、両シール条が雌雄嵌合してシールチャック３０ａが閉じることができる。次いでスライドファスナー２０のスライダー２５をスライドさせることによって、開口部１５を閉じることができる。
【００５５】
このとき、この第４実施形態においては、シールチャック３０ａが、雌雄嵌合するシール条３３を有するテープ３１，３１と、シール条３３，３３を雌雄嵌合させるためのスライダー３７とからなると共に、同スライダー３７をテープ３１，３１から取り外し可能とされ、かつ、テープ３１，３１の両端部どうしが接合されるように構成されているので、スライダー３７がテープ３１先端に装着されることによって生じる、テープ３１，３１の両端部の隙間を完全になくすことができ、ダニ抗原が通過することをより確実に防止することができる。
【実施例】
【００５６】
実施例のカバー部材の、ダニの通過量を測定した。
（１）試験準備
（ａ）ダミー収容体の作製
まず、カバー部材に充填される収容物の代わりとして、ダミー収容体５０を作製した。すなわち、このダミー収容体５０は、長方形状をなした枠状プレートからなる枠体５１（長辺：１８００ｍｍ，短辺：９００ｍｍ）と、該枠体５１の各辺に所定間隔をおいて複数配設されると共に、ダニトラップを収容した複数のダニトラップケース５３（縦２００ｍｍ、横１３０ｍｍ）とから構成されている。また、ダニトラップケース５３は、その下方に開口部５３ａが形成されており、更に、９０度のアングル５５を介して、前記枠体５１に固定されている。
（ｂ）ダニトラップの準備
ダニトラップは、ダニが自由に通過できるようにポリエステルサテンで作製された袋（８０ｍｍ×１００ｍｍ）に、脱脂綿で包まれたダニ飼育用飼料（実権動物用粉末飼料及び乾燥酵母を等量混合してなる）が、羊毛と共に充填されて構成されている。
（ｃ）カバー部材の選定
カバー部材としては、図１０，１１に示すマットレス用のカバー部材１０ｂを用いた。その寸法は、横２００ｃｍ、縦１００、厚さ２５ｃｍである。
【００５７】
（２）試験方法
（ａ）ダミー収容体の配置
上記カバー部材内に図１２及び図１３に示すように、ダニトラップを備えるダミー収容体５０を収納し、シールチャック３０ａ、及び、スライドファスナー２０を閉じて、開口部１５を閉じた状態にセットした。
（ｂ）ダニ培地の設置
試験に用いるダニは、ヤケヒョウダニを用いた。これが生息するダニ培地０．０２５ｇを８回、飽和食塩水浮遊法によって生存ダニ数を計数し、その数から約１００００匹相当のダニを含むダニ培地の分取量を計算によって求めた。次いで、ダニ培地を十分に攪拌した後、計算で求めた分取量分だけ量り取り、これを５つのガラス製シャーレＳ（直径４０ｍｍ、高さ１５ｍｍ）の中にそれぞればらまき、各シャーレＳをカバー部材１０ｂの四隅及び上面に各々配設した。
（ｃ）試験条件
上記状態のカバー部材１０ｂを、室温が約２５℃、相対湿度が約８４％の環境下とされた実験室内に配置して、これを４日間放置して、ダニがカバー部材のどの箇所に何匹、集まっているかを測定した。
【００５８】
（３）試験結果
（ａ）ダニトラップ
図１３に示すカバー部材の各側面Ｅ，Ｆ，Ｇ，Ｈの内側にそれぞれ配置したダニトラップにおけるダニ数を計数した。すなわち、ダニトラップに捕捉されたダニを、水洗い法及び飽和食塩水浮遊法によって分離して数えた。なお、側面Ｅがファスナー側の面である。この結果を下記表１に示す。ここで見つかるダニは、カバー部材を通過したダニを意味している。
（ｂ）カバー部材の側面及び上面
図１３に示すカバー部材の各側面Ｅ，Ｆ，Ｇ，Ｈ及び上面におけるダニ数を計数した。すなわち、ダニ採取用袋を装着した電気掃除機により吸い取って、これを水洗い法及び飽和食塩水浮遊法によって数えた。この結果を下記表２に示す。
【００５９】
【表１】
0004859808.tif 000002
【００６０】
【表２】
0004859808.tif 000003
【００６１】
上記表１，２の結果から、ダニ培地から這いだしてカバー部材の側面及び上面に付着したダニは合計で８７４５匹も確認できたものの、カバー部材内のダニトラップにおいては、僅か２８匹しか確認できず、このカバー部材における、ダニの通過防止効果が極めて高いことが確認できた。
【図面の簡単な説明】
【００６２】
【図１】本発明のカバー部材の第１実施形態を示しており、開口部が開いた状態の斜視図である。
【図２】同カバー部材の開口部が閉じた状態の斜視図である。
【図３】図１におけるIII-III矢示線に沿った断面図である。
【図４】同カバー部材の要部拡大斜視図である。
【図５】スライドファスナー取付け部の断面図である。
【図６】同カバー部材を構成するシールチャックを示しており、（Ａ）はその拡大斜視図、（Ｂ）は他の例を示す斜視図である。
【図７】本発明のカバー部材の第２実施形態を示す要部拡大斜視図である。
【図８】本発明のカバー部材の第３実施形態を示す斜視図である。
【図９】同カバー部材の要部拡大斜視図である。
【図１０】本発明のカバー部材の第４実施形態を示す要部拡大斜視図である。
【図１１】スライドファスナー及びシールチャック取付け部の断面図である。
【図１２】カバー部材における、ダニ通過量の測定試験を説明するための斜視図である。
【図１３】同ダニ通過量の測定試験の概略説明図である。
【符号の説明】
【００６３】
１０，１０ａ  カバー部材
１１  各布生地
１２  長辺、１２ａ  周縁部
１３  短辺、１３ａ，１３ｂ  周縁部
１５  開口部
１７  連結生地、１７ａ  二重折部
１８  糸
１９  側生地
２０，２０ａ  スライドファスナー
２１  テープ
２３  エレメント
２４  コーティング
２５  スライダー
３０，３０ａ  シールチャック
３１  テープ
３３  シール条
３５，３７  スライダー
【図１】
0004859808.tif 000004
【図２】
0004859808.tif 000005
【図３】
0004859808.tif 000006
【図４】
0004859808.tif 000007
【図５】
0004859808.tif 000008
【図６】
0004859808.tif 000009
【図７】
0004859808.tif 000010
【図８】
0004859808.tif 000011
【図９】
0004859808.tif 000012
【図１０】
0004859808.tif 000013
【図１１】
0004859808.tif 000014
【図１２】
0004859808.tif 000015
【図１３】
0004859808.tif 000016